(57)【要約】【課題】認証媒体の発行の際、同一の複数の認証媒体の氾濫を防止し、運用効率の向上が図れる認証媒体発行方法を提供する。【解決手段】ホストコンピュータ１に登録された個人データをもとに、カード発行機２で、各個人についての認証情報を、そのうち有効期限を除き、磁気カードに記録するとともに、その磁気カードの表面に所定の情報を印刷して、認証媒体として発行し、その発行された認証媒体の記録内容、印刷内容を確認用端末３に表示された個人データをもとに確認した後、記録されなかった有効期限をリーダライタ５で磁気カードに記録する。【選択図】　　　図２
2004094976.tif 000002
【特許請求の範囲】
【請求項１】
　登録された各個人の情報をもとに、携帯可能記録媒体の表面に所定の情報を印刷するとともに、少なくとも有効期限を含む各個人を認証するための複数の認証情報を、そのうち前記有効期限を除き、携帯可能記録媒体の記録部に記録し、各個人の認証媒体として発行手段により発行する発行工程と、
　前記登録された個人の情報をもとに、前記発行手段により発行された認証媒体の記録内容とその認証媒体の表面の印刷内容との間に誤りがないか確認するために前記記録部に記録された内容を表示手段により表示する表示工程と、
　この表示工程により表示された表示内容により前記認証媒体の印刷内容および記録内容に誤りがないことが確認されたのに基づき、前記発行工程において記録されず除かれていた前記有効期限を前記認証媒体の記録部に記録手段により記録する記録工程と、
　を具備したことを特徴とする認証媒体発行方法。
【請求項２】
　登録された各個人の情報をもとに、携帯可能記録媒体の表面に所定の情報を印刷するとともに、各個人を認証するための複数の認証情報を、そのうち少なくとも１つの認証情報を除き前記携帯可能記録媒体の記録部に記録し、各個人の認証媒体として発行手段により発行する発行工程と、
　前記登録された個人の情報をもとに、前記発行手段により発行された認証媒体の記録内容とその認証媒体の表面の印刷内容との間に誤りがないか確認するために前記記録部に記録された内容を表示手段により表示する表示工程と、
　この表示工程により表示された表示内容により前記認証媒体の印刷内容および記録内容に誤りがないことが確認されたのに基づき、前記発行工程において記録されず除かれていた少なくとも１つの各個人を認証するための認証情報を前記認証媒体の記録部に記録手段により記録する記録工程と、
　を具備したことを特徴とする認証媒体発行方法。
【発明の詳細な説明】
【技術分野】
【０００１】
　本発明は、たとえば、個人の認証情報が記録されたＩＣカードなどの携帯可能記録媒体を個人の認証媒体として発行する認証媒体発行方法に関する。
【背景技術】
【０００２】
　近年、情報化に伴う企業内などにおけるセキュリティ確保の重要性から、各個人が所持する、その個人の認証情報が記録された認証媒体を用いて、部屋や施設への入室、入場をチェックする入室管理システム、入場管理システムなどの通行管理システムが種々開発されている。
【０００３】
　このような通行管理システムは、部屋や施設に入室、入場しようとする通行者の個人データを登録するためのホストコンピュータ、このホストコンピュータに接続され、登録された個人データを各個人が所持するＩＣカード、磁気カードなどの携帯可能記録媒体に記録して、個人の認証媒体として発行するカード発行機、通行管理を行なう必要のある各所に設置され、入室、入場をしようとする通行者が所持する例えば磁気カードから読取った認証情報と、ホストコンピュータからダウンロードされた各個人の認証情報を照合して、その通行者の通行可否を判断する複数のゲート装置から構成される。
【０００４】
　ホストコンピュータに登録される各個人の個人データは、個人の認識番号（ＩＤ番号、自動発番されるシリアル番号）、有効期限、その人物の氏名、会社名などが含まれる。
【０００５】
　この登録された個人データをもとに、カード発行機では、たとえば、磁気カードの表面に個人の氏名などを印刷したり、磁気エンコーダを用いて磁気ストライプに個人の認証情報を記録して、その磁気カードを個人の認証媒体として発行するようになっている。
【０００６】
　ホストコンピュータに登録された個人データは、このホストコンピュータに接続された複数のゲート装置のそれぞれに、各個人の認識情報としてダウンロード（登録）される。
【０００７】
　カード発行機で発行された認証媒体を所持した通行者は、その認証媒体を各所に設けられたゲート装置に挿入して、ゲート装置がその認証媒体を受入れると、ゲート装置は、たとえば、磁気ストライプに記録された個人の認証情報を読取り、その読取った認証情報とあらかじめ各ゲート装置にダウンロードされた各個人の認証情報とを照合して、その通行者の通行可否を判断するようになっている。
【発明の開示】
【発明が解決しようとする課題】
【０００８】
　このように、カード発行機では、磁気カードなどを個人の認証媒体として発行する際、その磁気カードに表面印刷を行なうとともに、たとえば、磁気ストライプに対し、その認証媒体を所持する通行者の通行可否を判断するためにゲート装置により照合されるその通行者の認証情報、すなわち、個人の認識番号（ＩＤ番号、自動発番されるシリアル番号）、有効期限などが記録される。
【０００９】
　しかし、このようにして発行された認証媒体が、後に、その表面印刷に誤りなどがあり、そのため、再度発行し直す場合、すでに発行された認証媒体には、ゲート装置により照合される認証情報が全てエンコードされて例えば磁気ストライプに記録されているため、同一の使用可能な認証媒体が複数存在することになる。
【００１０】
　これらの使用可能な同一の認証媒体が誤って世間に出回ってしまうと、登録された正規のユーザ以外の者により不正に使用される可能性があり、また、一度世間に出回ってしまうと、その不正に使用されている認証媒体を回収することも困難で、入室、入場などの通行管理のセキュリティ確保が達成されないという問題点がある。
【００１１】
　そこで、本発明は、認証媒体の発行の際、同一の複数の認証媒体の氾濫を防止し、運用効率の向上が図れる認証媒体発行方法を提供することを目的とする。
【課題を解決するための手段】
【００１２】
　本発明の認証媒体発行方法は、登録された各個人の情報をもとに、携帯可能記録媒体の表面に所定の情報を印刷するとともに、少なくとも有効期限を含む各個人を認証するための複数の認証情報を、そのうち前記有効期限を除き、携帯可能記録媒体の記録部に記録し、各個人の認証媒体として発行手段により発行する発行工程と、前記登録された個人の情報をもとに、前記発行手段により発行された認証媒体の記録内容とその認証媒体の表面の印刷内容との間に誤りがないか確認するために前記記録部に記録された内容を表示手段により表示する表示工程と、この表示工程により表示された表示内容により前記認証媒体の印刷内容および記録内容に誤りがないことが確認されたのに基づき、前記発行工程において記録されず除かれていた前記有効期限を前記認証媒体の記録部に記録手段により記録する記録工程とを具備している。
【００１３】
　また、本発明の認証媒体発行方法は、登録された各個人の情報をもとに、携帯可能記録媒体の表面に所定の情報を印刷するとともに、各個人を認証するための複数の認証情報を、そのうち少なくとも１つの認証情報を除き前記携帯可能記録媒体の記録部に記録し、各個人の認証媒体として発行手段により発行する発行工程と、前記登録された個人の情報をもとに、前記発行手段により発行された認証媒体の記録内容とその認証媒体の表面の印刷内容との間に誤りがないか確認するために前記記録部に記録された内容を表示手段により表示する表示工程と、この表示工程により表示された表示内容により前記認証媒体の印刷内容および記録内容に誤りがないことが確認されたのに基づき、前記発行工程において記録されず除かれていた少なくとも１つの各個人を認証するための認証情報を前記認証媒体の記録部に記録手段により記録する記録工程とを具備している。
【発明の効果】
【００１４】
　本発明によれば、登録された各個人の情報をもとに、携帯可能記録媒体の表面に所定の情報を印刷するとともに、各個人を認証するための複数の認証情報を、そのうち少なくとも１つを除き前記携帯可能記録媒体に記録して、各個人の認証媒体として発行し、前記登録された個人の情報をもとに、発行された認証媒体の記録内容と、その認証媒体の表面の印刷内容とを確認した後、記録されなかった認証情報を前記認証媒体に記録することにより、認証媒体の発行の際、唯一の正規の認証媒体のみが発行され、同一の複数の認証媒体の氾濫を防止し、運用効率の向上が図れる認証媒体発行方法を提供できる。
【発明を実施するための最良の形態】
【００１５】
　以下、本発明の実施の形態について図面を参照して説明する。　
　図１は、本実施の形態に係る認証媒体発行方法が適用される通行管理システムの構成を概略的に示すもので、通行者がセキュリティを必要とする部屋や施設への入室、入場する際に、その通行者が所持する認証媒体として、たとえば、磁気カードの記録内容をもとに通行可否を判断し、あらかじめ通行が許可されている者のみ入室、入場が可能となるように通行管理を行なうものである。
【００１６】
　図１において、この通行管理システムは、部屋や施設に入室、入場しようとする通行者の個人データを登録するためのホストコンピュータ１、このホストコンピュータ１に接続されたカード発行機２、個人データ確認用端末装置（以下、簡単に確認用端末と呼ぶ）３、確認用端末３に接続されたカードリーダライタ５、確認用端末３に接続され、通行管理を行なう必要のある入場施設などの各ゲートごとに設置された複数のゲート装置４から構成される。　
　なお、各個人が所持する認証媒体として、磁気カードの場合について説明する。
【００１７】
　ホストコンピュータ１には、個人の識別番号（ＩＤ番号、登録時に自動発番されるシリアル番号）、有効期限、氏名、会社名などの個人データがキーボード、画像読取装置などの各種入力装置を介して入力されて、登録される。
【００１８】
　カード発行機２は、ホストコンピュータ１に登録された個人データをもとに、磁気カードに表面印刷を行なうとともに、磁気ストライプに対し、磁気エンコーダを用いて、個人の識別番号などの所定の認証情報を記録し、認証媒体として発行する。このとき、磁気ストライプに記録される認証情報には、有効期限は含まれていない。また、磁気カードに表面印刷される情報としては、たとえば、個人の氏名、会社名などがある。
【００１９】
　確認用端末３では、ホストコンピュータ１に登録された個人データと、カード発行機２でその磁気ストライプに有効期限以外の認証情報が記録された磁気カードの記録内容、および、その磁気カードの表面に印刷された内容とを確認するようになっている。このとき、確認用端末３に接続されたリーダライタ５に記録内容および印刷内容を確認しようとする認証媒体を挿入して、その認証媒体の磁気ストライプに記録された認証情報を読出し、その読み出した内容を確認用端末３に具備されたディスプレイ装置に表示するようになっている。
【００２０】
　次に、確認用端末３における、カード発行機２で発行された認証媒体の記録内容、印刷内容の確認方法について説明する。　
　まず、確認用端末３に具備されたディスプレイ装置にホストコンピュータ１に登録された個人データを表示する。このためには、まず、確認用端末３に具備された、たとえば、キーボードから記録内容および印刷内容を確認しようとする認証媒体に対応する個人の識別番号を入力し、その入力された識別番号に対応する個人データをホストコンピュータ１から読出して、確認用端末３のディスプレイ装置に表示する。あるいは、リーダライタ５に挿入された認証媒体に記録された認証情報としての個人の識別番号をもとに、自動的に、その識別番号に対応する個人データをホストコンピュータ１から読出して、確認用端末３のディスプレイ装置に表示するようにしてもよい。
【００２１】
　このようにして確認用端末３のディスプレイ装置に表示された内容をもとに、認証媒体の記録内容および印刷内容が、ホストコンピュータ１に登録された個人データと誤りがないかどうかが確認できる。
【００２２】
　磁気カードの記録内容に間違いがないときは、すでにホストコンピュータ１に登録されている、その個人の識別番号に対応する有効期限をリーダライタ５でエンコードして、その磁気カードの磁気ストライプに記録する。　
　この有効期限の書込みは、磁気カード１枚につき１回限りとし、個人の識別番号に対応する有効期限は必ず１つのみである。
【００２３】
　また、有効期限の書込みを行なう際、ホストコンピュータ１にすでに登録されている有効期限に誤りがあるときは、まず、確認用端末３で修正を行なってから磁気カードにエンコードしたり、ホストコンピュータ１に再び登録を行なうこともできる。
【００２４】
　さらに、確認用端末３では、全ての磁気カードに有効期限を記録する処理を終了した後、そのときホストコンピュータ１に登録されている個人データをもとに、各個人の認証情報を複数のゲート装置４のそれぞれにダウンロード（登録）するようになっている。
【００２５】
　各ゲート装置４への登録が正常に終了した後、全ての認証情報が記録された認証媒体（リーダライタ５で有効期限が書込まれた磁気カード）は、各個人に配布される。
【００２６】
　各個人に配布された認証媒体は、通行管理を行なう必要のある各所に設置されたゲート装置４に挿入されて、その認証媒体４が受入れられると、ゲート装置４は、その認証媒体４から認証情報を読出し、その認証情報と、あらかじめそのゲート装置４に登録されている個人の認証情報とを照合し、その認証媒体を所持する者の通行可否を判断するようになっている。
【００２７】
　次に、図２に示すフローチャートを参照して、図１の通行管理システムの認証媒体発行処理について説明する。　
　まず、ステップＳ１に進み、ホストコンピュータ１に個人データを登録し、その個人データを登録する（ステップＳ２）。ホストコンピュータ１は、カード発行機２を駆動して、ホストコンピュータ１に登録された個人データをもとに、磁気カードに表面印刷を行なうとともに、磁気ストライプに対し、磁気エンコーダを用いて、有効期限以外の所定の認証情報を記録して、認証媒体として発行する（ステップＳ３）。
【００２８】
　次に、ステップＳ４に進み、ステップＳ３で発行された認証媒体の記録内容および印刷内容をホストコンピュータ１に登録された個人データをもとに確認する。すなわち、リーダライタ５で対象となる認証媒体に記録された認証情報を読取るとともに、その対象となる認証媒体に対応するホストコンピュータ１にすでに登録されている個人データを読取り、それらの記録内容を確認用端末３に表示して、両者の内容を確認する。
【００２９】
　磁気カードの記録内容に間違いがなければ、次に、ホストコンピュータ１に登録されている有効期限を確認して（ステップＳ５）、その内容に間違いがあれば、確認用端末３を介して修正して、ホストコンピュータ１にその有効期限を再登録し（ステップＳ６）、間違いがなければ、そのまま、ホストコンピュータ１に登録されている有効期限をリーダライタ５を介して磁気カードの磁気ストライプに書込む（ステップＳ７）。
【００３０】
　以上の処理が、全ての認証媒体について終了した後、そのとき、ホストコンピュータ１に登録されている個人データをもとに、複数のゲート装置４のそれぞれに各個人の認証情報をダウンロードし（ステップＳ８）、各ゲート装置４への登録が正常に終了したら、発行された認証媒体を各個人に配布する（ステップＳ９）。
【００３１】
　なお、ステップＳ４で磁気カードの記録内容および印刷内容を確認した結果、その内容に間違いがあることがわかった場合、その磁気カードには、ゲート装置４により照合されるべき個人の認証情報の一部である有効期限が書込まれていないので、使用不可能である。したがって、再度同一の認証媒体を発行し直しても、同一の使用可能な認証媒体が複数存在することはない。
【００３２】
　以上説明したように、上記実施の形態によれば、ホストコンピュータ１に登録された個人データをもとに、カード発行機２で、各個人についての認証情報を、そのうち有効期限を除き、磁気カードに記録するとともに、磁気カードの表面に所定の情報を印刷して、認証媒体として発行し、その認証媒体の記録内容および印刷内容を確認用端末３に表示されたホストコンピュータ１に登録された個人データをもとに確認した後に、記録されなかった有効期限をリーダライタ５で磁気カードに記録することにより、認証媒体の発行の際、唯一の正規の認証媒体のみが発行され、同一の複数の認証媒体の氾濫を防止し運用効率の向上が図れる。
【００３３】
　また、ホストコンピュータ１に登録された個人データをもとに、カード発行機２で、各個人についての認証情報を、そのうち有効期限を除き、磁気カードに記録するとともに、磁気カードの表面に所定の情報を印刷して、認証媒体として発行し、その認証媒体の記録内容および印刷内容を確認用端末３に表示されたホストコンピュータ１に登録された個人データをもとに確認した後に、記録されなかった有効期限をリーダライタ５で磁気カードに記録し、その後、通行管理を行なう必要のある場所に設けられ、各個人が所持する前記認証媒体を受入れて、その個人の通行可否を判断する複数のゲート装置４のそれぞれに対し、ホストコンピュータ１に登録された個人データをもとに、各個人の認証情報をダウンロードし、複数のゲート装置４のそれぞれにおいて、各個人が所持する認証媒体を受入れ、その認証媒体に記録された前記認証情報と、そのゲート装置４に登録された各個人の認証情報とを照合し、その個人の通行可否を判断することにより、ホストコンピュータ１に登録される個人データ、発行された認証媒体に記録された認証情報、複数のゲート装置４のそれぞれにダウンロードされた各個人の認証情報との整合がとれ、システム全体の運用効率の向上が図れる。
【００３４】
　なお、前記実施の形態では、カード発行機２で、有効期限以外の認証情報を記録するようになっているが、この場合に限らず、ゲート装置４で通行可否の判断を行なう際に照合される認証情報であるならば、有効期限に限らず、たとえば、個人の識別番号以外の認証情報を記録するようにしてもよいし、また、必要であれば、複数の認証情報を除いた認証情報を磁気カードに記録するようにしてもよい。
【００３５】
　また、前記実施の形態では、認証媒体として磁気カードを例にとり説明したが、この場合に限らず、ＩＣカードなどの他の携帯可能記録媒体でも適用できる。その際、採用する携帯可能記録媒体に応じて、認証情報の書込み、読出し方法を変更すればよい。
【図面の簡単な説明】
【００３６】
【図１】本発明の一実施例に係る通行管理システムの構成を概略的に示すブロック図。
【図２】認証媒体発行処理について説明するためのフローチャート。
【符号の説明】
【００３７】
　１…ホストコンピュータ、２…カード発行機、３…個人データ確認用端末装置、４…ゲート装置、５…カードリーダライタ。
【図１】
2004094976.tif 000003
【図２】
2004094976.tif 000004